(57)【要約】【課題】  デジタル信号の受信状態の変化に応じて、コンテンツの情報の継続性が確保されるように別のデジタル信号を選択して受信するデジタル信号受信装置を提供する。【解決手段】  少なくとも１種類のメディアで提供される複数のデジタル放送波（Ｓｄ）を受信してコンテンツ（Ｃ）を出力するデジタル信号受信装置（Ｒｄ）において、受信器（１０１）はデジタル放送波（Ｓｄ）を受信し、メディアコンテンツ選択器（１０２）は出力するコンテンツを選択し、メディアコンテンツ情報解析器（１０３）は選択されたコンテンツ（Ｃ）のコンテンツ情報（Ｉｃ）を解析し、受信強度検出手段（１０８）はデジタル放送波（Ｓｄ）の受信強度（ＬＳｄ）を検出し、受信強度（ＬＳｄ）が所定値より小さい時に、受信中のコンテンツ（Ｃｃ）との合致度の高いコンテンツ（Ｃｏ）のデジタル放送波（Ｓｄｏ）を受信して、当該コンテンツ（Ｃｏ）を選択して出力する。【選択図】  図１
2006013708.tif 000002
【特許請求の範囲】
【請求項１】
少なくとも１種類のメディアで提供される複数のデジタル放送波を受信して、当該受信したデジタル放送波に含まれるコンテンツを出力するデジタル信号受信装置であって、
前記デジタル放送波を受信する受信手段と、
前記デジタル放送波から出力するコンテンツを選択するメディアコンテンツ選択手段と、
前記選択されたコンテンツのコンテンツ情報を解析するメディアコンテンツ情報解析手段と、
前記デジタル放送波の前記受信手段における受信強度を検出する受信強度検出手段とを備え、
前記受信強度が所定値より小さい時に、受信中のデジタル放送波から出力されているコンテンツのコンテンツ情報との合致度の高いコンテンツ情報を有するコンテンツを含む、当該受信中のデジタル放送波とは異なるデジタル放送波を受信して、当該合致度の高いコンテンツ情報を有するコンテンツを選択して出力することを特徴とする、デジタル信号受信装置。
【請求項２】
少なくとも、第１の種類のメディアで提供される複数の第１のデジタル放送波と、第２の種類のメディアで提供される複数の第２のデジタル放送波とを受信して、当該受信した第１のデジタル放送波および第２のデジタル放送波に含まれるコンテンツを出力するデジタル信号受信装置であって、
前記第１のデジタル放送波を受信する第１の受信手段と、
前記受信された第１のデジタル放送波から出力する第１のコンテンツを選択する第１メディアコンテンツ選択手段と、
前記選択された第１のコンテンツの第１のコンテンツ情報を解析する第１のメディアコンテンツ情報解析手段と、
前記第１のデジタル放送波の前記第１の受信手段における受信強度を検出する受信強度検出手段と、
前記第２のデジタル放送波を受信する第２の受信手段と、
前記受信された第２のデジタル放送波から出力する第２のコンテンツを選択する第２のメディアコンテンツ選択手段と、
前記選択された第２のコンテンツの第２のコンテンツ情報を解析する第２のメディアコンテンツ情報解析手段とを備え、
前記受信強度が所定値より小さい時に、受信中の前記第１のデジタル放送波から出力されている第１のコンテンツの第１のコンテンツ情報との合致度の高い第２のコンテンツ情報を有するコンテンツを含む、前記第２のデジタル放送波を受信して、当該合致度の高い第２のコンテンツ情報を有する第２のコンテンツを選択して出力することを特徴とする、デジタル信号受信装置。
【請求項３】
少なくとも、第１の種類のメディアで提供される複数の第１のデジタル放送波と、第２の種類のメディアで提供される複数の第２のデジタル放送波とを受信して、当該受信した第１のデジタル放送波および第２のデジタル放送波に含まれるコンテンツを出力するデジタル信号受信装置であって、
前記第１のデジタル放送波を受信する第１の受信手段と、
前記受信された第１のデジタル放送波から出力する第１のコンテンツを選択する第１メディアコンテンツ選択手段と、
前記選択された第１のコンテンツの第１のコンテンツ情報を解析する第１のメディアコンテンツ情報解析手段と、
前記第２のデジタル放送波を受信する第２の受信手段と、
前記受信された第２のデジタル放送波から出力する第２のコンテンツを選択する第２のメディアコンテンツ選択手段と、
前記選択された第２のコンテンツの第２のコンテンツ情報を解析する第２のメディアコンテンツ情報解析手段と、
当該デジタル信号受信装置を駆動するための電源の電力残量を検出する電力残量検出手段とを備え、
前記電力残量が所定値より少ない時に、受信中の前記第１のデジタル放送波から出力されている第１のコンテンツの第１のコンテンツ情報との合致度の高い第２のコンテンツ情報を有するコンテンツを含む、前記第２のデジタル放送波を受信して、当該合致度の高い第２のコンテンツ情報を有する第２のコンテンツを選択して出力することを特徴とする、デジタル信号受信装置。
【請求項４】
少なくとも、第１の種類のメディアで提供される複数の第１のデジタル放送波と、第２の種類のメディアで提供される複数の第２のデジタル放送波とを受信して、当該受信した第１のデジタル放送波および第２のデジタル放送波に含まれるコンテンツを出力するデジタル信号受信装置であって、
前記第１のデジタル放送波を受信する第１の受信手段と、
前記受信された第１のデジタル放送波から出力する第１のコンテンツを選択する第１メディアコンテンツ選択手段と、
前記選択された第１のコンテンツの第１のコンテンツ情報を解析する第１のメディアコンテンツ情報解析手段と、
前記第２のデジタル放送波を受信する第２の受信手段と、
前記受信された第２のデジタル放送波から出力する第２のコンテンツを選択する第２のメディアコンテンツ選択手段と、
前記選択された第２のコンテンツの第２のコンテンツ情報を解析する第２のメディアコンテンツ情報解析手段と、
当該デジタル信号処理装置の対地移動速度を検出する速度検出手段とを備え、
前記対地移動速度が所定値より大きい時に、受信中の前記第１のデジタル放送波から出力されている第１のコンテンツの第１のコンテンツ情報との合致度の高い第２のコンテンツ情報を有するコンテンツを含む、前記第２のデジタル放送波を受信して、当該合致度の高い第２のコンテンツ情報を有する第２のコンテンツを選択して出力することを特徴とする、デジタル信号受信装置。
【請求項５】
少なくとも、１種類のメディアで提供される複数のデジタル放送波を受信すると共に保持して、当該デジタル放送波に含まれるコンテンツを出力するデジタル信号受信装置であって、
前記デジタル放送波を受信する第１の受信手段と、
前記受信された第１のデジタル放送波から出力する第１のコンテンツを選択する第１メディアコンテンツ選択手段と、
前記選択された第１のコンテンツの第１のコンテンツ情報を解析する第１のメディアコンテンツ情報解析手段と、
前記デジタル放送波の前記受信手段における受信強度を検出する受信強度検出手段と、
前記デジタル放送波を保持する保持手段と、
前記保持されているデジタル放送波から出力する第２のコンテンツを選択する第２メディアコンテンツ選択手段と、
前記選択された第２のコンテンツの第２のコンテンツ情報を解析する第２のメディアコンテンツ情報解析手段とを備え、
前記受信強度が所定値より小さい時に、受信中のデジタル放送波から出力されている第１のコンテンツの第１のコンテンツ情報との合致度の高い第２のコンテンツ情報を有する第２のコンテンツを含むデジタル放送波を戦記保持手段から読み出し、当該合致度の高い第２のコンテンツ情報を有する第２のコンテンツを選択して出力することを特徴とする、デジタル信号受信装置。
【請求項６】
前記第１の種類のメディアはテレビ放送であり、前記第２の種類のメディアはラジオ放送であることを特徴とする、請求項２、請求項３、および請求項４の何れかに記載のデジタル信号受信装置。
【請求項７】
前記第１の種類のメディアはテレビ放送であり、前記第２の種類のメディアはインターネットをはじめとするネットワーク網であることを特徴とする、請求項２、請求項３、および請求項４の何れかに記載のデジタル信号受信装置。
【請求項８】
前記第１の種類のメディアは、テレビ放送、ラジオ放送、およびインターネットをはじめとするネットワーク網の内の少なくとも１つであり、前記第２の種類のメディアはＡＳＦをはじめとする多重化フォーマットファイルであることを特徴とする、請求項５に記載のデジタル信号受信装置。
【請求項９】
前記複数のデジタル放送波のそれぞれは、異なる周波数で送信されることを特徴とする請求項１に記載のデジタル信号受信装置。
【発明の詳細な説明】
【技術分野】
【０００１】
本発明は、複数のコンテンツが平行して送信される複数のデジタル信号を受信する機器において、当該デジタル信号の受信状態の変化に応じて、コンテンツの情報の継続性が確保されるように別のデジタル信号を選択して受信するデジタル信号受信装置に関する。
【背景技術】
【０００２】
従来のアナログ放送に加えて、２００３年１０月には地上波デジタルラジオ放送が開始され、さらに同年１２月に地上波デジタルテレビ放送が開始された。これらのデジタル放送は、映像および音声の高品質化のほかに、多チャンネル化への対応およびデータ放送の提供を特徴としている。デジタル放送においては、特定の周波数で送信されるデジタル放送波に複数のコンテンツ（例えば、番組）が多重化されている。
【０００３】
従来のアナログ放送では１つのチャンネルで送信される放送波で、同時には１つのコンテンツしか提供できない。つまり、１チャンネルで１コンテンツを提供する放送である。しかし、デジタル放送においては１つのチャンネルで送信されるデジタル放送波には、複数のコンテンツが多重化されているので、同時に複数のコンテンツが提供される。つまり、１チャンネルで複数のコンテンツが提供される。このように、１つのデジタル放送波で複数のコンテンツを同時に視聴できるということは、従来の１つのチャンネルで１つのコンテンツが提供されるアナログ放送に慣れ親しんだユーザから見れば、放送チャンネルの数が増大したかの如くの効果を奏する。
【０００４】
上述の多チャンネル化とは、１つのチャンネルで送信されるデジタル放送波によって複数のコンテンツを同時に提供できることを、チャンネルが多くなるが如く比喩的に表現されものである。一方、本明細書においては、個々のデジタル放送波が送信される特定の周波数をチャンネルと呼び、上述の多チャンネル化という表現におけるチャンネルとは異なる意味である。
【０００５】
具体的には、地上波デジタルテレビ放送では、１つのチャンネル（周波数）で、家庭などに設置されるテレビ受像機に代表される固定機向けの高品質画像コンテンツと、携帯型端末向けの簡易画像コンテンツとを並列に送信できる。上述のように、同時に提供できるコンテンツ数が増えるので、ユーザは、様々な種類のコンテンツから、より自身の要望に対する合致度の高いものを選択できる確率があがる。よって、今後携帯型端末によるデジタル放送のテレビ視聴の需要が高くなることが予想される。
【０００６】
日本における地上波デジタル放送は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ；電波産業会）によって規格化されている。ＡＲＩＢは、規格に基づいた運用規定を技術資料（Ｔｅｃｈｎｉｃａｌ  Ｒｅｐｏｒｔ）としてまとめている。なお、ＡＲＩＢ  ＴＲ−Ｂ１４に地上波デジタルテレビ放送の運用規定が記載され、ＡＲＩＢ  ＴＲ−Ｂ１３に地上波デジタルラジオ放送の運用規定が記載されている。
【０００７】
地上波デジタル放送の特定のチャンネルで送信されるデジタル放送波は、その放送元である放送局の所在地、およびユーザの受信器の所在地、および放送局とユーザの地形的条件によって、電波の受信強度に代表される受信状態はそれぞれ異なる。そして、受信状態は、固定型の受信装置におけるよりも携帯型の受信装置における方が遙かに大きく変化する。たとえば、携帯型受信装置により、所望のコンテンツを視聴中のユーザが移動して、ビルの陰や地下など、電波の受信強度が十分でない場所に入ると、それまで受信していたデジタル放送波を正しく受信できなくなる。なお、移動しない固定型の受信装置においても、周囲の受信状態が変化して、コンテンツを継続して視聴できなくなる場合がある。このように、デジタル放送波を正しく受信できない場合には、別のチャンネルで送信されている別のデジタル放送波で受信強度が十分なものを検索して受信する方法（特許文献１）が提案されている。特開２００２−９４４０２号公報に開示されている。
【特許文献１】特開２００２−９４４０２号公報
【発明の開示】
【発明が解決しようとする課題】
【０００８】
しかしながら、或るチャンネルで送信されているデジタル放送波が受信できない場合には、受信可能な別のチャンネルで送信されている別デジタル放送波を受信するという上述の方法では、以下に述べるような問題がある。
ユーザが特定のチャンネルで放送されている特定のコンテンツ（例えば、番組）の視聴を所望している場合に、電波の受信強度が不十分であるが故に、別のチャンネルで放送される別のコンテンツを所望するコンテンツの代替として視聴することになる。しかしながら、デジタル放送においては、異なるチャンネルで放送されるコンテンツ間に特定の関係を有するようには管理されていない。つまり、ユーザが視聴を所望しているが電波状態の為に視聴することができないコンテンツと、実際に視聴できるコンテンツとは無関係である。それゆえに、完全な偶然を除けば、視聴が中断されたコンテンツの代わりに受信される別のチャンネルで提供されているコンテンツは同一ではなく、コンテンツのジャンルですら異なる確率が非常に高い。
【０００９】
上述のように、デジタル放送においては、従来に比べて飛躍的に多数のコンテンツが提供できる。つまり、同一のコンテンツ或いは類似したコンテンツが異なるチャンネルで同時に送信されている確率が高い。しかしながら、受信状態の変化により、コンテンツの連続視聴が不可になった時点で、単に受信可能な別のチャンネルで送信されているデジタル放送波を受信するという上述の方法では、偶然を除けば、同一或いは類似したコンテンツを含むデジタル放送波を受信して、ユーザが同一或いは類似のコンテンツで所望とする情報を継続視聴できない。つまり、視聴していたコンテンツによって取得していた情報を、別のコンテンツによって、継続的に取得できない。つまり、情報が寸断或いは断続されてしまう。
【００１０】
このように、従来、ユーザが所望するコンテンツ（情報）を継続して提供できる別チャンネルを選択的に受信することはできない。対策として、ユーザ自身が受信装置を操作して、別チャンネルをスキャンさせて、コンテンツ／情報の継続性のあるコンテンツを探し出して、受信するということも可能である。しかしながら、そのような操作は時間がかかり、また見つけたコンテンツが目的に沿った最善のものであるかの判断にはさらに時間を要すると共に困難さを伴う煩わしい作業である。このように継続性のあるコンテンツを見つける迄に時間が経過してしまう。
【００１１】
それゆえに、特にスポーツ中継など、刻一刻状況が変化するコンテンツにおいては、視聴の中断により情報の継続性が絶たれると前後の内容を把握することが極めて困難である。それゆえに、受信状態の変化により視聴が中断される場合には、別のチャンネルで送信される別のデジタル放送波によって提供される同一コンテンツの継続的な視聴による情報の継続性の確保が望まれる。
【００１２】
また携帯型端末は電池で駆動する場合が多く、かつ電池の電力量は限られているため、受信装置側の電力消費量が大きなデジタルテレビ放送を長時間視聴すると電池残量がなくなり、番組の途中で視聴を中断しなければならなくなる可能性が高い。このような場合、受信状態に基づいて、別のチャンネルからのデジタル放送波の受信に切り換える方法では対応できない。よって、同一コンテンツの継続利用を図るためには、電池残量に応じて、同一コンテンツを提供しているデジタル放送波の内で、電力消費量のより小さなものを受信することが望ましい。
【００１３】
さらに、車載端末では、運転中に運転者が映像コンテンツを視聴することはわき見運転につながり、交通安全上問題である。このような場合には、同一コンテンツを視聴するのではなく聴取することにより、同一コンテンツの継続利用および安全の双方を獲得することが望まれる。
【００１４】
上述のように、ユーザの受信状態とは、受信電波強度の変化ばかりではなく、受信能力（電力状況）、および視聴体勢（運転中）なども含まれる。そして、そのような受信状態の変化に応じて、それぞれ適正な状態でのコンテンツ利用を可能とするデジタル放送波の受信が望まれる。よって本発明は、ユーザの受信状態の変化に応じて、コンテンツが提供する情報の継続性が確保されるように別のデジタル信号を選択して受信するデジタル信号受信装置を提供することを目的とする。
【課題を解決するための手段】
【００１５】
本発明は、少なくとも１種類のメディアで提供される複数のデジタル放送波を受信して、当該受信したデジタル放送波に含まれるコンテンツを出力するデジタル信号受信装置であって、
前記デジタル放送波を受信する受信手段と、
前記デジタル放送波（から出力するコンテンツを選択するメディアコンテンツ選択手段と、
前記選択されたコンテンツのコンテンツ情報を解析するメディアコンテンツ情報解析手段と、
前記デジタル放送波の前記受信器における受信強度を検出する受信強度検出手段とを備え、
前記受信強度が所定値より小さい時に、受信中のデジタル放送波から出力されているコンテンツのコンテンツ情報との合致度の高いコンテンツ情報を有するコンテンツを含む、当該受信中のデジタル放送波とは異なるデジタル放送波）を受信して、当該合致度の高いコンテンツ情報を有するコンテンツを選択して出力することを特徴とする。
【発明の効果】
【００１６】
本発明によれば、ユーザがテレビ放送の任意のコンテンツ（番組）を視聴中に受信強度が弱くなり、正常な視聴が不可能となった場合、視聴していたコンテンツと同一、もしくは類似のコンテンツを、同一メディアの他のコンテンツ、もしくは代替のメディアであるラジオ放送、もしくはインターネット網から取得することができ、ユーザは所望の情報をシームレスに得ることができる。
【発明を実施するための最良の形態】
【００１７】
本発明の実施の形態にかかるデジタル信号受信装置について具体的に説明する前に、まず、本発明におけるコンテンツの同一性および類似性について説明する。デジタル放送においては、従来のアナログ放送に比べて、同時に送信されるコンテンツの数は飛躍的に増大（所謂、多チャンネル化）している。それゆえに、一つのチャンネル（周波数）でのデジタル放送波においても、同じ内容の番組が異なる画質で、同時に並行して放送される。この画質の異なる２つの同番組は、同じ周波数（チャンネル）で送信されているものの、受信装置側のユーザから見れば、この２つの同番組は、従来の意味で言うところの異なるチャンネルで視聴される。
【００１８】
この例のように、その番組の作成者が伝えることを目的とし、さらにユーザも視聴の目的とする意味において同一の情報内容であるコンテンツは、画質や音質に違いがあっても、本発明においては同一コンテンツと見なす。これは、上述のように、本発明は、ユーザの受信状態（受信環境）の変化に応じて、その情報の連続性を確保する目的に起因している。また、完全に同一のコンテンツが、異なる２つ以上のチャンネルから同時に送信される場合に、これらのコンテンツは同一コンテンツと見なされることはいうまでもない。
【００１９】
次に、同一の素材に関して、異なるコンテンツ制作者が同時に作成したコンテンツについて考える。具体的な例としては、プロ野球などの同一の試合を、複数の放送局が同時に中継放送している場合を挙げることができる。この場合、同一のコンテンツの素材は、特定の試合であり、異なるコンテンツ作成者は異なる複数の放送局であり、コンテンツは放送される野球中継番組である。放送局が異なれば、放送される野球中継番組の画面、解説者、アナウンサー、および解説の内容、さらにはコマーシャルメッセージの内容や、画面の切り換えタイミングなども異なる。しかしながら、ユーザが期待し、放送局が伝えようとする情報は試合の進行が主であることは明白である。
【００２０】
このような例において、同じ試合の中継番組であれば、あるチャンネルから別のチャンネルに切り換えても、試合の進行に関する情報の中断は非常に小さく継続性が確保される。ましてや、情報の断続は起こらない。よって、本発明においては、これらのコンテンツを同一と見なす。ただ、一方の放送局がその試合だけを放送し、他の放送局はその試合と共に他の試合を含めて多元的に放送しているような場合、これら２つのコンテンツ（番組）は同一とは言えないが、ユーザが所望する情報を取得するという本発明の目的は満たすことができる。この例のように、同一とは言い難いが、ユーザが所望する情報を取得できるコンテンツを類似と見なす。
【００２１】
次に、同一の素材に関して、異なるコンテンツ制作者が同時作成したコンテンツではあるが、そのコンテンツのメディアフォーマットが異なる場合について考える。具体的な例としては、プロ野球などの同一の試合を、異なる放送メディアの放送局が同時に中継放送している場合を挙げることができる。つまり、テレビ放送局とラジオ放送局が同時に同じ試合を中継放送している場合である。この場合、テレビ放送局とラジオ放送局が異なれば、解説者やアナウンサーおよびコマーシャルメッセージの内容が異なるということ以外に、ラジオ放送には画面が存在しないという違いがある。しかしながら、試合を視覚的に認識できないという点を除けば、ユーザはテレビ放送およびラジオ放送の何れによっても、試合の進行を認識できる。つまり、ユーザが期待し、放送局が伝えようとする試合の進行の情報はテレビ放送においてもラジオ放送においても同一である。よって、本発明においては、これらのコンテンツを同一と見なす。
【００２２】
上述した、本発明における同一コンテンツの概念を下記に整理する。まず、同一のコンテンツの第１の例としては、異なるチャンネル（周波数）から同時に提供される、完全に同一のコンテンツが挙げられる。
同一コンテンツの第２の例としては、同一のチャンネル（周波数）で提供される、情報の内容は同一であるが画質や音質などのデータとしては異なるコンテンツが挙げられる。
同一コンテンツの第３の例としては、逐次変化する同一の素材に関して、異なるコンテンツ制作者が同時に作成して提供されるコンテンツが挙げられる。
同一コンテンツの第４の例としては、逐次変化する同一素材に関して、異なるコンテンツ制作者が異なるメディアフォーマットで同時に作成して提供されるコンテンツが挙げられる。
そして、以上の例の何れにおいても、同一とは言い難いが、ユーザが所望する情報を取得できるコンテンツを類似コンテンツである。
【００２３】
（第１の実施の形態）
図１、図２、図３、および図４を参照して、本発明の第１の実施の形態かかるデジタル信号受信装置について説明する。本実施の形態にかかるデジタル信号受信装置は、ユーザが或チャンネルから放送されているデジタル放送波によって提供されているコンテンツを視聴中に、受信状態の一つである電波の受信強度の低下によって、当該コンテンツを継続視聴できない場合に、別のチャンネルから放送されている受信可能デジタル放送波の内でユーザが望む情報を継続して取得できるコンテンツを提供するものを選択的に受信して、当該コンテンツをユーザに視聴ならしめる機能を有する。
【００２４】
図１に示すように、第１の実施の形態にかかるデジタル信号受信装置Ｒｄ１は、メディア受信器１０１、メディアコンテンツ選択器１０２、メディアコンテンツ情報解析器１０３、コンテンツ検索器１０４、コンテンツデータベース１０５、出力器１０７、および受信強度検出器１０８を含む。メディア受信器１０１は、アンテナ（図示せず）などを経由してデジタル放送波Ｓｄを受信すると共にデコードしてデジタルストリームＳｄｄとして出力する。
【００２５】
受信強度検出器１０８は、メディア受信器１０１でのデジタル放送波Ｓｄの受信強度ＬＳｄを検出する。そして、受信強度検出器１０８は、受信強度ＬＳｄが視聴に十分でない時には、メディア受信器１０１に対して、受信可能なチャンネルで送信されているデジタル放送波Ｓｄの受信の開始を指示する受信指示Ｉｒを出力する。さらに、受信強度検出器１０８はコンテンツ検索器１０４に対して、それまでに視聴していたコンテンツのコンテンツ情報Ｉｃと、受信可能なデジタル放送波Ｓｄに含まれるコンテンツのコンテンツ情報Ｉｃとの比較処理を指示するマッチング指示Ｉｍを出力する。後ほど、図２を参照して、コンテンツ情報Ｉｃについて説明する。
【００２６】
メディアコンテンツ選択器１０２は、デジタルストリームＳｄｄに含まれる複数のコンテンツの内の任意の１つを選択して、当該選択されたコンテンツデータＤｃを出力する。なお、メディアコンテンツ選択器１０２によるコンテンツ選択は、通常、外部（ユーザ）からのコンテンツ選択指示Ｉｓに基づいて成される。つまり、ユーザは、コンテンツ選択指示Ｉｓによって、視聴を所望するコンテンツを指定する。
【００２７】
メディアコンテンツ情報解析器１０３は、メディアコンテンツ選択器１０２から選択出力されたコンテンツデータＤｃに基づいて、当該コンテンツデータＤｃに関するコンテンツ情報Ｉｃを生成してコンテンツ検索器１０４に出力する。さらに、メディアコンテンツ情報解析器１０３は、コンテンツデータＤｃを出力器１０７に出力する。出力器１０７は、コンテンツデータＤｃを後段の各種処理手段に出力する。そして、コンテンツデータＤｃは後段の各所処理装置に種々な処理によって、映像／音声信号に変換されて、ディスプレイ等を介してユーザに提示される。
【００２８】
コンテンツ検索器１０４は、受信強度検出器１０８から出力されるコンテンツ情報Ｉｃを、コンテンツデータベース１０５に格納させる。さらに、コンテンツ検索器１０４は、マッチング指示Ｉｍに応答して、コンテンツデータベース１０５からコンテンツ情報Ｉｃを読み出して、メディアコンテンツ情報解析器１０３から順次出力されるコンテンツ情報Ｉｃと比較して、両所のマッチングの度合いを判定する。そして、コンテンツ検索器１０４は、両者がマッチングする場合に、視聴していたコンテンツＣのコンテンツ情報Ｉｃにマッチした、受信可能なデジタル放送波ＳｄのコンテンツＣを表すコンテンツ切換指定Ｉｓｏをメディアコンテンツ選択器１０２に出力する。後ほど、図３および図４を参照して、コンテンツ検索器１０４におけるマッチング処理について詳述する。
【００２９】
メディアコンテンツ選択器１０２は、それまでコンテンツ選択指示Ｉｓで指定されていたコンテンツＣに変わりに、コンテンツ検索器１０４から入力されたコンテンツ切換指定Ｉｓｏで指定されたコンテンツＣのコンテンツデータＤｃをメディアコンテンツ情報解析器１０３に出力する。このようにして、同一コンテンツにより継続視聴が実現される。
【００３０】
図２を参照して、地上波デジタル放送波（Ｓｄ）に含まれるコンテンツ情報Ｉｃについて説明する。地上波デジタル放送のストリーム（Ｓｄｄ）には、番組配列情報（Ｓｅｒｖｉｃｅ  Ｉｎｆｏｒｍａｔｉｏｎ）ＳＩが含まれている。番組配列情報ＳＩの中にはイベントテーブル（Ｅｖｅｎｔ  Ｉｎｆｏｒｍａｔｉｏｎ  Ｔａｂｌｅ）ＥＩＴが含まれる。イベントテーブルＥＩＴには、番組名、番組記述、放送開始日時、番組時間長、およびジャンルなどが記載されている。番組名、および番組記述は、地上波デジタルテレビおよび地上波デジタルラジオ両方において、放送局からの送出されることが必須な項目である。なお、番組配列情報ＳＩおよびイベントテーブルＥＩＴにおける「番組」は、本発明における上述の「コンテンツ」と同一概念である。
【００３１】
番組名として、当該番組のタイトルおよびサブタイトルが記載される。番組記述としては、番組の内容、および出演者などが記載される。ジャンルとしては、番組の大まかなカテゴリーが記述される。このカテゴリーは、規格によりあらかじめ定められているものから選択される。図２には、コンテンツ１〜コンテンツＬ（Ｌは任意の整数）まで、Ｎ種類のコンテンツが含まれている例が示されている。なお、紙面の都合上、コンテンツ１とコンテンツ２のＥＩＴのみが例示されている。このイベントテーブルＥＩＴからコンテンツ情報Ｉｃが抽出される。本例においては、イベントテーブルＥＩＴのコンテンツ情報Ｉｃは同一内容である。
【００３２】
図３を参照して、コンテンツ検索部１０４のマッチング動作について説明する。なお、説明の便宜上、必要に応じて、既に選択して視聴中のデジタル放送波Ｓｄを視聴中デジタル放送波Ｓｄｃとし、視聴中デジタル放送波ＳｄｃのデジタルストリームＳｄｄを視聴中デジタルストリームＳｄｄｃとし、視聴中デジタル放送波Ｓｄｃで提供されているコンテンツＣを視聴中コンテンツＣｃとし、視聴中コンテンツＣｃに関するコンテンツ情報Ｉｃを視聴中コンテンツ情報Ｉｃｃとして識別する。同様に、必要に応じて、受信可能なデジタル放送波Ｓｄを受信可能デジタル放送波Ｓｄｏと、受信可能デジタル放送波ＳｄｏのデジタルストリームＳｄｄを受信可能デジタルストリームＳｄｄoと、受信可能デジタル放送波Ｓｄｏで提供されているコンテンツＣを受信可能コンテンツＣｏとし、受信可能コンテンツＣｏのコンテンツデータＤｃを受信可能コンテンツデータＤｃｃ受信可能コンテンツＣｏのコンテンツ情報Ｉｃを受信可能コンテンツ情報Ｉｃｏとして識別する。
【００３３】
なお、受信可能な受信可能デジタル放送波Ｓｄｏが１つ以上ある場合は、それぞれ１〜Ｎ（Ｎは任意の整数）の接尾辞を附して、それぞれを識別する。なお、１つのデジタル放送波Ｓｄには通常、複数のコンテンツＣが含まれているが、説明の便宜上、１つのデジタル放送波Ｓｄには１つのコンテンツＣのみが含まれているものとする。よって、受信可能デジタル放送波Ｓｄｏに関する受信可能コンテンツＣｏおよびコンテンツ情報Ｉｃもそれぞれ１〜Ｎまでの接尾辞を附してそれぞれ識別される。
【００３４】
図３に、視聴中のデジタル放送波ＳｄのコンテンツＣｃに関するコンテンツ情報Ｉｃｃと、受信可能なデジタル放送波Ｓｄｏ１〜ＳｄｏＮの受信可能コンテンツ情報Ｉｃｏ１〜ＣｏＮに関する受信可能コンテンツ情報Ｉｃｏ〜ＩｃｏＮが例示されている。同図の例では、視聴中コンテンツ情報Ｉｃｃの番組名および番組記述から、「甲子園」、「プロ野球」、および「Ｔ対Ｇ」などのキーワードが検出されている。そして、検出された「甲子園」、「プロ野球」、および「Ｔ対Ｇ」などのキーワードを含む情報は、視聴中コンテンツ情報Ｉｃｃとして、すでにコンテンツデータベース１０５に格納されている。
【００３５】
同図の例では、ユーザが、デジタル放送波Ｓｄｃで提供されている視聴中コンテンツＣｃであるプロ野球番組を視聴している時に、受信強度ＬＳｄが低下する。すると、受信強度検出器１０８はメディア受信器１０１に受信可能デジタル放送波Ｓｄｏ１〜ＳｄｏＮを順次受信させる。そして、メディアコンテンツ選択器１０２は、メディア受信器１０１から順次入力されてくる受信可能デジタルストリームＳｄｄｏ１〜ＳｄｄｏＮのそれぞれに含まれる受信可能コンテンツＣｏ１〜ＣｏＮの受信可能コンテンツデータＤｃｏ１〜ＤｃｏＮを１０３に出力する。
【００３６】
コンテンツ検索器１０４は、受信可能コンテンツデータＤｃｏ１〜ＤｃｏＮに含まれる受信可能コンテンツ情報Ｉｃｏ１〜ＩｃｏＮからコンテンツの内容を表すキーワードを読み出す。読み出されたキーワードが、コンテンツデータベース１０５に格納されている視聴中コンテンツ情報Ｉｃｃのキーワードと合致するかのマッチング判定を行う。
【００３７】
図３に示すように、デジタル放送波Ｓｄｃで提供されているプロ野球番組を視聴している時に、メディアコンテンツ情報解析器１０３によって、コンテンツ情報Ｉｃｃの番組名および番組記述から、「甲子園」、「プロ野球」、および「Ｔ対Ｇ」などのキーワードが検出されて、コンテンツデータベース１０５に格納されている。そして、受信可能なデジタル放送波Ｓｄ１〜Ｓｄｎのそれぞれに含まれるコンテンツＣｏ１〜ＣｏＮのコンテンツ情報Ｉｃｏ１〜ＩｃｏＮ番組名および番組記述からも検出されるかのマッチング判定を行う。
【００３８】
つまり、受信可能なデジタル放送波Ｓｄ１〜Ｓｄｎを順番に受信しながら、それぞれに含まれるコンテンツ情報Ｉｃｏ１〜ＩｃｏＮからキーワードを抽出している。コンテンツ情報Ｉｃｏ１からは、「７時のニュース」および「全国ニュース」などが検出される。そして、コンテンツ情報ＩｃｏＮからは「野球」、「Ｔ−Ｇ」、「甲子園」などが検出される。つまり、コンテンツ検索器１０４は、受信強度検出器１０８から出力されるマッチング指示Ｉｍに応答して、コンテンツデータベース１０５から視聴中コンテンツＣｃに関する視聴中コンテンツ情報Ｉｃｃ（つまり、キーワード）を読み出す。さらに、コンテンツ検索器１０４は、メディア受信器１０１を介して、受信可能コンテンツＣｏの視聴中コンテンツ情報Ｉｃｃ（キーワード）を順次読み出して、視聴中コンテンツＣｃの視聴中コンテンツ情報Ｉｃｃ（キーワード）とのマッチングを行う。
【００３９】
受信可能コンテンツＣｏＮの受信可能コンテンツ情報ＩｃｏＮに含まれるキーワードが、視聴中コンテンツＣｃの視聴中コンテンツ情報Ｉｃｃに含まれるキーワードとの一致度が他の受信可能コンテンツＣｏに比べて高いので、受信可能コンテンツＣｏＮを視聴中コンテンツＣｃと同一コンテンツとして選択する。そして、コンテンツ検索器１０４は、受信可能コンテンツＣｏＮの受信を指示するコンテンツ切換指定Ｉｓｏをメディア受信器１０１とメディアコンテンツ選択器１０２の双方に出力する。メディア受信器１０１は、コンテンツ切換指定Ｉｓｏに基づいて、受信可能デジタル放送波ＳｄｏＮを受信し、メディアコンテンツ選択器１０２は受信可能デジタル放送波ＳｄｏＮにふくまれる受信可能コンテンツデータＤｃｏＮを選択して出力する。このようにして、ユーザは視聴中コンテンツＣｃと同一である判断された受信可能コンテンツＣｏＮを継続して視聴できる。この意味において、コンテンツＣｏＮは視聴中コンテンツＣｃの代替コンテンツと言える。
【００４０】
なお、２つのコンテンツが同一或いは代替可能であると見なす基準としては、２つのコンテンツＣから検出されるキーワードの完全一致が必須ではない。なぜならば、コンテンツの供給側で、コンテンツ情報に記載する情報やキーワードの設定方法は規格化されておらず、また、仮に規格化されてしまうと違うコンテンツであっても同じキーワードになってしまう可能性が大である。よって、本発明においては、たとえば、「ナイター」、「ベースボール」など、「野球」の類義語を、「野球」と同一の概念であるとみなすことで、元来自由度の高い番組記述から同一コンテンツ或いは代替可能なコンテンツを高確率で抽出することを図っている。あるいは、上記類義語がキーワードに対してどの程度類似しているかを点数化し、キーワードマッチングの結果得られた点数の総計が所定の閾値を超えれば同一コンテンツとみなす、などの方法をとることも可能である。
【００４１】
これら類義語の定義は、コンテンツ検索部１０４に、たとえばデータベースの形式で保持し、抽出されたキーワードに対してデータベースマッチングを行うことで実現できる。  受信可能コンテンツＣｏ１〜ＣｏＮの中で、視聴中コンテンツＣｃと同一と認められるコンテンツＣｏが存在しない場合には、類似していると認められるコンテンツが選択される。
【００４２】
次に、図４を参照して、類似と認められる受信可能コンテンツＣｏの選択について説明する。図４に、図３におけるのと同様に、視聴中デジタル放送波Ｓｄｃの視聴中コンテンツＣｃに関する視聴中コンテンツ情報Ｉｃｃと、受信可能デジタル放送波Ｓｄｏ１〜ＳｄｏＭ（Ｍは任意の整数）の受信可能コンテンツＣｏ１〜ＣｏＭに関する受信可能コンテンツ情報Ｉｃｏ１〜ＩｃｏＭを例示する。同図の例では、受信可能コンテンツ情報ＩｃｏＭからは「野球」、および「Ｃ−Ｄ」などのキーワードが検出される。
【００４３】
このように、受信可能コンテンツ情報ＩｃｏＭからは、受信可能コンテンツ情報ＩｃｏｏＮから検出される「野球」というキーワードはあっても、「Ｔ対Ｇ」および「甲子園」というキーワードは検出されない。このような場合、コンテンツ検索器１０４は、当該受信可能コンテンツＣｏＭを、視聴中コンテンツＣｃに類似する所望の対戦ではないが、野球というジャンルとしては一致）コンテンツであると判定し、コンテンツ切換指定Ｉｓｏを生成してメディア受信器１０１とメディアコンテンツ選択器１０２に出力する。なお、本例は、上述の多元放送の例とは異なるが、ユーザが所望する情報に類似した情報を提供する意味において、類似コンテンツと見なしている。以降は、図３を参照して説明いた通りである。
【００４４】
一方、キーワード検索の結果、同一コンテンツ、類似コンテンツ（代替コンテンツ）のいずれも検索できなかった場合は、その旨をコンテンツ切換指定Ｉｓｏによってユーザに通知する。
【００４５】
以上説明したように、第１の実施の形態にかかるデジタル信号受信装置Ｒｄ１は、ユーザがテレビ放送を視聴中、受信強度の影響で正しい受信が困難となった場合には、他の受信可能なテレビ放送の中から同一或いは類似と認められる受信可能なコンテンツを検索する。そして、該当するコンテンツが検索された場合、当該コンテンツを出力する。結果、ユーザは受信強度の影響を受けることなく、所望のコンテンツの視聴を継続できる。
【００４６】
なお、携帯型の地上デジタルテレビ放送において、ジャンルは送出されないことがある。しかしイベントテーブルＥＩＴにジャンルが含まれている場合は、マッチングに利用すると有効である。なぜならば、番組名、番組記述は、記述の自由度が高いため、上述したようにマッチングを実現するための方法（アルゴリズム）が複雑かつ時間を要する。一方、ジャンルは有限個のカテゴリーから１個選択するので、より容易且つ高速なマッチングを実行できる。
【００４７】
なお、本実施の形態においては、メディア受信器１０１が同時に１つのチャンネルのデジタル放送波Ｓｄしか受信できないシングルチューナとして説明した。それゆえに、受信強度ＬＳｄが低下した時点で、視聴中デジタル放送波Ｓｄｃの受信を中断してから、別の受信可能デジタル放送波Ｓｄｏに対して検索処理を行うように構成されている。しかしながら、メディア受信器１０１が２つ以上のチューナを有するように構成すれば、視聴中デジタル放送波Ｓｄｃの受信と平行して、受信可能デジタル放送波Ｓｄｏに対する同一或いは類似コンテンツの検索を行うことができる。この場合、視聴中デジタル放送波Ｓｄｃの受信強度ＬＳｄが低下した時点で、即座に代替コンテンツの視聴に切り換えることができ、継続視聴の点からはより好ましい。
【００４８】
また、本実施の形態においては、代替コンテンツの検索は、受信可能デジタル放送波Ｓｄｏ１〜ＳｄｏＮ（Ｍ）をすべて受信するように構成されている。しかしながら、一つのチャンネルで送信されるデジタル放送波Ｓｄに他のチャンネルから送信されるデジタル放送波Ｓｄのコンテンツ情報Ｉｃが含まれていれば、そのコンテンツ情報Ｉｃに基づいて、視聴中コンテンツＣｃの視聴と平行して、代替コンテンツの有無と対応デジタル放送波Ｓｄを検出しておき、当該デジタル放送波Ｓｄのみを受信して検索することによって、なおさらに、効率的な処理が実現できる。
【００４９】
（第２の実施の形態）
次に、図５を参照して、第２の実施の形態にかかるデジタル信号受信装置について説明する。本実施の形態にかかるデジタル信号受信装置Ｒｄ２は、上述の第１の実施の形態にかかるデジタル信号受信装置Ｒｄ１が、ユーザが視聴中のコンテンツを提供している１つのチャンネルから送信されるデジタルテレビ放送波の受信強度が落ちて、当該コンテンツの継続視聴が困難な場合に、別のチャンネルで送信される受信可能なデジタルテレビ放送波から、視聴中のコンテンツと同一或いは類似のコンテンツを検索して、代替コンテンツとして、ユーザのコンテンツ視聴を継続させるものである。つまり、デジタルテレビ放送等の同一種類のコンテンツの供給メディアの中で、代替コンテンツが検索されて出力される。
【００５０】
一方、本実施の形態においては、第１の実施の形態にかかるデジタル信号受信装置Ｒｄ１における同一種類のコンテンツメディアの中で代替コンテンツを検索および出力する機能に加えて、同一種類のコンテンツメディアの中で代替コンテンツが検索できない場合には、受信可能な異なるコンテンツメディアの中で代替コンテンツを検索して出力するものである。言い換えれば、デジタル信号受信装置Ｒｄ１のマッチング処理において、視聴中コンテンツＣｃと同一或いは類似の受信可能コンテンツＣｏが検索できないときに、デジタル信号受信装置Ｒｄ２による第２のコンテンツメディアに対する代替コンテンツの検索が開始する。なお、第１のコンテンツメディアに対する代替コンテンツ検索に関する構成および動作は、基本的にデジタル信号受信装置Ｒｄ１におけると同様であるので、特に必要のない限り説明を省力する。
【００５１】
本実施の形態にかかるデジタル信号受信装置Ｒｄ２は、基本的に第１のコンテンツメディアから第１のメディアデジタル放送波を受信して、コンテンツおよびコンテンツ情報を抽出する、第１コンテンツメディア受信ユニットＵＲ１と、第１のコンテンツメディアとは異なる第２のコンテンツメディアから第２のメディアデジタル放送波を受信して、コンテンツおよびコンテンツ情報を抽出する第２のコンテンツメディア受信ユニットＵＲ２、第１コンテンツメディア受信ユニットＵＲ１と第２のコンテンツメディア受信ユニットＵＲ２とのそれぞれでのコンテンツの受信状況に基づいて、第１コンテンツメディア受信ユニットＵＲ１と第２のコンテンツメディア受信ユニットＵＲ２の何れからどのコンテンツデータを出力させるコンテンツメディア選択ユニットＵＳとを含む。なお、本実施の形態においては、第１コンテンツメディアは、デジタル信号受信装置Ｒｄ１におけるコンテンツメディアであるデジタルテレビ放送波とし、第２コンテンツメディアはデジタルラジオ放送波を例として説明する。
【００５２】
デジタル信号受信装置Ｒｄ２は、第１メディア受信器１０１ａ、第１メディアコンテンツ選択器１０２ａ、第１メディアコンテンツ情報解析器１０３ａ、第２メディア受信器１０１ｂ、第２メディアコンテンツ選択器１０２ｂ、第２メディアコンテンツ情報解析器１０３ｂ、コンテンツ検索器１０４ｃ、コンテンツデータベース１０５ｃ、スイッチ１０６、および出力器１０７を含む。第１メディア受信器１０１ａ、第１メディアコンテンツ選択器１０２ａ、および第１メディアコンテンツ情報解析器１０３ａは、それぞれデジタル信号受信装置Ｒｄ１におけるメディア受信器１０１、メディアコンテンツ選択器１０２、およびメディアコンテンツ情報解析器１０３と同様に構成されている。
【００５３】
また、第２メディア受信器１０１ｂ、第２メディアコンテンツ選択器１０２ｂ、および第２メディアコンテンツ情報解析器１０３ｂも、それぞれデジタル信号受信装置Ｒｄ１におけるメディア受信器１０１、メディアコンテンツ選択器１０２、およびメディアコンテンツ情報解析器１０３と同様に構成されている。但し、第１メディア受信器１０１ａには、第１のコンテンツメディアであるデジタルテレビ放送波ＳｄＡが入力される。そして、第２メディア受信器１０１ｂには、第２のコンテンツメディアであるデジタルラジオ放送波ＳｄＢが入力される。
【００５４】
第１メディア受信器１０１ａはデジタルテレビ放送波ＳｄＡをデコードして、デジタルテレビストリームＳｄｄＡを生成し、第１メディアコンテンツ選択器１０２ａはコンテンツ選択指示Ｉｓに基づいて、特定のテレビコンテンツＣＡのテレビコンテンツデータＤｃＡを抽出する。なお、第１メディアコンテンツ選択器１０２ａはコンテンツ選択指示Ｉｓで指定されたコンテンツと、受信可能なデジタルテレビ放送波ＳｄＡ１〜ＳｄＡｎ（ｎは任意の整数）のテレビコンテンツデータＤｃＡも１０３ａに出力する。第１メディアコンテンツ情報解析器１０３ａはテレビコンテンツデータＤｃＡからテレビコンテンツ情報ＩｃＡを抽出してコンテンツ検索器１０４ｃに出力すると共に、テレビコンテンツデータＤｃＡをスイッチ１０６に出力する。
【００５５】
スイッチ１０６は、入力される信号に応じて、第１メディアコンテンツ情報解析器１０３ａの出力ポートおよび第２メディアコンテンツ情報解析器１０３ｂの出力ポートと、出力器１０７の入力ポートとの接続／断続を行うように構成されている。本実施の形態においては、スイッチ１０６は通常、第１メディアコンテンツ情報解析器１０３ａを出力器１０７に接続して、テレビコンテンツデータＤｃＡがユーザに提示されるように構成されている。
【００５６】
受信強度検出器１０８ｃおよびコンテンツ検索器１０４ｃのそれぞれも、基本的にはデジタル信号受信装置Ｒｄ１における受信強度検出器１０８およびコンテンツ検索器１０４と同様に構成されると共に、さらに新たな機能が付与されている。コンテンツ検索器１０４ｃは、コンテンツ切換指定Ｉｓｏを第１メディア受信器１０１ａおよび第１メディアコンテンツ選択器１０２ａに出力すると共に、さらに受信強度検出器１０８ｃにも出力する。
【００５７】
受信強度検出器１０８ｃは、第１メディア受信器１０１ａおよび第２メディア受信器１０１ｂに接続されて、デジタルテレビ放送波ＳｄＡの受信強度ＬＳｄＡおよびデジタルラジオ放送波ＳｄＢの受信強度ＬＳｄＢを検出する。そして、受信強度ＬＳｄＡが不十分である場合には、受信強度検出器１０８ｃは受信指示Ｉｒ、第１メディア受信停止指示Ｉｎ、およびマッチング指示Ｉｍをそれぞれ第１メディア受信器１０１ａ、スイッチ１０６、およびコンテンツ検索器１０４ｃに出力して、受信可能なデジタルテレビ放送波ＳｄＡに関して視聴中テレビコンテンツＣＡｃと同一或いは類似する受信可能テレビコンテンツＣＡｏの検索を開始させる。
【００５８】
そして、コンテンツ検索器１０４から出力されるコンテンツ切換指定Ｉｓｏに基づいて、コンテンツ検索器１０４が同一或いは類似する受信可能テレビコンテンツＣＡｏを検索できなかった時には、第１メディア非選択指示ＩｎＡ、第２メディア受信指示ＩｒＢ、および第２メディアマッチング指示Ｉｍｂをそれぞれスイッチ１０６、第２メディア受信器１０１ｂ、およびコンテンツ検索器１０４ｃに出力して、第２コンテンツメディアに関して、視聴中テレビコンテンツＣＡｃの代替となるラジオコンテンツＣＢの検索を開始させる。なお、スイッチ１０６は、第１メディア非選択指示ＩｎＡに応答して、第１メディアコンテンツ情報解析器１０３ａの出力器１０７への接続を絶つ。このことにより、出力器１０７にはコンテンツデータＤｃが出力されないので、電波の受信強度不足によるノイズをユーザに提示しないようにしている。
【００５９】
第２メディア受信器１０１ｂは、受信強度検出器１０８ｃから入力される第２メディア受信指示ＩｒＢに基づいて、デジタルラジオ放送波ＳｄＢの内で、受信可能なデジタルラジオ放送波ＳｄＢをデコードしてデジタルラジオストリームＳｄｄＢを生成する。第２メディアコンテンツ選択器１０２ｂは、デジタルラジオストリームＳｄｄＢから、ラジオコンテンツＣＢのラジオコンテンツデータＤｃＢを抽出して出力する。メディアコンテンツ情報解析器１０３ｂは、ラジオコンテンツデータＤｃＢからラジオコンテンツ情報ＩｃＢを検出して、コンテンツ検索器１０４ｃに出力する。
【００６０】
受信可能なデジタルラジオ放送波ＳｄＢを受信可能デジタルラジオ放送波ＳｄＢｏと、受信可能デジタルラジオ放送波ＳｄＢｏのデジタルラジオストリームＳｄｄＢを受信可能デジタルラジオストリームＳｄｄＢｏと、受信可能デジタルラジオ放送波ＳｄＢｏで提供されているラジオコンテンツＣＢを受信可能ラジオコンテンツＣＢｏとし、受信可能ラジオコンテンツＣＢｏのラジオコンテンツデータＤｃＢを受信可能ラジオコンテンツデータＤｃＢｏと、ラジオコンテンツデータＤｃＢｏのラジオコンテンツ情報ＩｃＢを受信可能コンテンツ情報ＩｃＢｏとして識別する。
【００６１】
つまり、コンテンツ検索器１０４ｃは受信強度検出器１０８ｃから入力される第２メディアマッチング指示Ｉｍｂに基づいて、コンテンツデータベース１０５ｃから視聴中テレビコンテンツ情報ＩｃＡｃと、第２メディアコンテンツ情報解析器１０３ｂから逐次入力される受信可能コンテンツ情報ＩｃＢｏとの比較マッチングを行う。コンテンツ検索器１０４ｃにおけるマッチング処理は、比較対象となるコンテンツ情報Ｉｃが視聴中テレビコンテンツ情報ＩｃＡｃおよび受信可能コンテンツ情報ＩｃＢｏと、そのメディアが異なる点を除いて、図３および図４を参照して説明した、デジタル信号受信装置Ｒｄ１のコンテンツ検索器１０４によるマッチング処理と基本的に同じであるので、説明を省く。
【００６２】
コンテンツ検索器１０４ｃは、マッチング処理を完了した時点で第２メディアコンテンツ選択指示ＩｓＢを生成して第２メディア受信器１０１ｂおよび第２メディアコンテンツ選択器１０２ｂに出力すると共に、切換信号Ｓｗを生成してスイッチ１０６に出力する。第２メディア受信器１０１ｂは受信可能デジタルラジオ放送波ＳｄＢｏの内で第２メディアコンテンツ選択指示ＩｓＢに示されているものを受信して、デジタルラジオストリームＳｄｄＢを生成して第２メディアコンテンツ選択器１０２ｂに出力する。第２メディアコンテンツ選択器１０２ｂは、デジタルラジオストリームＳｄｄＢから第２メディアコンテンツ選択指示ＩｓＢに示されているラジオコンテンツＣＢのラジオコンテンツデータＤｃＢを抽出して第２メディアコンテンツ情報解析器１０３ｂに出力する。
【００６３】
スイッチ１０６は、切換信号Ｓｗに応答して、第２メディアコンテンツ情報解析器１０３ｂを出力器１０７に接続して、ラジオコンテンツデータＤｃＢを出力器１０７に供給する。この時点で、ラジオコンテンツデータＤｃＢがユーザに対して提示される。なお、本実施の形態においては、第１メディア非選択指示ＩｎＡによって、スイッチ１０６が第１メディアコンテンツ情報解析器１０３ａと出力器１０７とを断続するように構成しているが、第１メディア非選択指示ＩｎＡ或いは切換信号Ｓｗのいずれかによって、スイッチ１０６が出力器１０７への入力を第１メディアコンテンツ情報解析器１０３ａから第２メディアコンテンツ情報解析器１０３ｂに切り換えるように構成してもよい。この場合、第１メディア非選択指示ＩｎＡおよび切換信号Ｓｗのいずれかを廃止できる。
【００６４】
上述のように、本実施の形態においては、第１のコンテンツメディア（デジタルテレビ放送波ＳｄＡ）で送信されているコンテンツ（テレビコンテンツＣＡ）を視聴中、受信強度の影響で第１のコンテンツメディアの正しい受信が困難となった場合、第２のコンテンツメディア（デジタルラジオ放送波ＳｄＢ）の中から同一、もしくは類似と考えられるコンテンツを検索し、当該コンテンツが検索された場合、当該コンテンツを出力することで、ユーザは受信強度の影響を受けることなく、所望のコンテンツの視聴を継続することができ、所望する情報を連続的に取得可能である。
【００６５】
いうまでもなく、本実施の形態における第１のコンテンツメディア（デジタルテレビ放送波ＳｄＡ）が提供するテレビコンテンツＣＡは、映像と音声で構成されており、第２のコンテンツメディア（デジタルラジオ放送波ＳｄＢ）が提供するラジオコンテンツＣＢは、基本的に音声（文字放送では、テキスト情報が提供される）のみで構成されている。それゆえに、テレビコンテンツＣＡとラジオコンテンツＣＢとは、基本的に表現媒体が異なるが。しかしながら、コンテンツメディアが異なっていても、コンテンツ作成者が伝えようと意図し、ユーザが取得しようとする情報に継続性或いは同一或いは類似していれば、同一或いは類似の代替コンテンツとして選択して出力される。
【００６６】
なお、本例においては、第１のコンテンツメディアおよび第２のコンテンツメディアとして、それぞれ、デジタルテレビ放送波およびデジタルラジオ放送波を例に挙げたが、その他のインターネットなどのネットワーク網を介して提供されるコンテンツメディアでもよい。さらに、インターネットにおけるコンテンツ情報の記述方法は特に規約がなく、ストリーム（データ）に多重化されている場合もあれば、所望のコンテンツが格納されているサーバーの別領域に格納されている場合もあるが、それぞれのメディアのフォーマットに従って、コンテンツ情報を取得し、取得したコンテンツ情報のマッチングを行うことで本発明は適用できる。
【００６７】
また、第１のコンテンツメディアが、現在開発が進められているワンセグ放送といわれる伝送帯域が狭く、１チャンネルで１コンテンツの提供が予定されているデジタルテレビ放送の場合には、同一メディア（ワンセグ放送）では異なるチャンネルで同一或いは類似コンテンツが提供されていない確率が高い。このように、第１のコンテンツメディアが、１チャンネル当たりの伝送帯域が狭く、いわゆる多チャンネル化が難しいデジタル放送の場合には、第２のコンテンツメディアから代替コンテンツを検索する本実施の形態にデジタル信号受信装置は非常に有効である。
【００６８】
（第３の実施の形態）
図６を参照して、第３の実施の形態にかかるデジタル信号受信装置について説明する。上述の第１の実施の形態にかかるデジタル信号受信装置Ｒｄ１およびデジタル信号受信装置Ｒｄ２では、視聴中のコンテンツを提供しているデジタル放送波の受信強度の低下時に、別の受信可能な代替コンテンツに切り換えられる。これに対して、本実施の形態にかかるデジタル信号受信装置Ｒｄ３は、電池を電力源としている場合に、その残電力量が僅少になったとき、ユーザのコンテンツの継続利用時間をできるだけ確保するために、消費電力がより小さなコンテンツメディアからの代替コンテンツの受信に切り換える機能を有する。
【００６９】
そのために、デジタル信号受信装置Ｒｄ３においては、デジタル信号受信装置Ｒｄ３を駆動する電池の電力残量を検出して、電力残量が所定値以下であれば、第１コンテンツメディア受信ユニットＵＲ１より消費電力の小さな第２のコンテンツメディア受信ユニットＵＲ２による受信に切り換えるものである。本例においても、第１のコンテンツメディアはデジタルテレビ放送波ＳｄＡであり、第２のコンテンツメディアはデジタルラジオ放送波ＳｄＢを例に説明する。なお、デジタルテレビ放送波ＳｄＡを処理する第１コンテンツメディア受信ユニットＵＲ１の消費電力量が、デジタルラジオ放送波ＳｄＢを処理する第２のコンテンツメディア受信ユニットＵＲ２の消費電力量より小さいことは明らかである。また、デジタルラジオ放送波ＳｄＢのコンテンツを視聴するという表現には若干語弊があるが、第２のコンテンツメディアは第１のコンテンツメディアよりも受信装置における消費電力が小さければ、映像コンテンツであってもよいので、本明細書においてはデジタルラジオ放送波ＳｄＢのコンテンツも視聴すると表現する。
【００７０】
図６に示すように、デジタル信号受信装置Ｒｄ３は、図５に示したデジタル信号受信装置Ｒｄ２において、コンテンツメディア選択ユニットＵＳがコンテンツメディア選択ユニットＵＳｐに交換されている。コンテンツメディア選択ユニットＵＳｐは、コンテンツメディア選択ユニットＵＳにおいて、受信強度検出器１０８ｃが電力残量検出器５０１に交換されていると共に、コンテンツ検索器１０４ｃはコンテンツ切換指定Ｉｓｏを出力しない。これは、電力残量が少なくなったときに第１のコンテンツメディア（デジタルテレビ放送波ＳｄＡ）の中で、別のチャンネルで提供されるコンテンツを代替として視聴することに意味がないからである。よって、デジタル信号受信装置Ｒｄ３に固有の特徴である電力残量検出器５０１に関して重点的に説明すると共に、上述のデジタル信号受信装置Ｒｄ２と共通の部分については説明を省略する。
【００７１】
電力残量検出器５０１は、デジタル信号受信装置Ｒｄ３の電源の残電力量を検出し、残電力量が所定値以下の場合には、第１メディア受信停止指示Ｉｎ、第１メディア非選択指示ＩｎＡ、第２メディア受信指示ＩｒＢ、および第２メディアマッチング指示Ｉｍｂを生成して、それぞれを第１メディア受信器１０１ａ、第２メディア受信器１０１ｂ、スイッチ１０６、およびコンテンツ検索器１０４ｃに出力する。第１メディア受信停止指示Ｉｎに応答して、第１メディア受信器１０１ａはデジタルテレビ放送波ＳｄＡの受信を停止すると共に、第１コンテンツメディア受信ユニットＵＲ１の全体の動作が停止する。これに、第１コンテンツメディア受信ユニットＵＲ１による電力消費が止められる。
【００７２】
上述のように、第１メディア非選択指示ＩｎＡに応答して、スイッチ１０６は第１メディアコンテンツ情報解析器１０３ａを出力器１０７から断続させる。第２メディア受信指示ＩｒＢに応答して、第２メディア受信器１０１ｂはデジタルラジオ放送波ＳｄＢの受信を開始する。この時点で、デジタル信号受信装置Ｒｄ２における電力消費元が第１コンテンツメディア受信ユニットＵＲ１から第２のコンテンツメディア受信ユニットＵＲ２に変更されている。そして、第２メディアマッチング指示Ｉｍｂに応答して、コンテンツ検索器１０４ｃは、デジタルラジオ放送波ＳｄＢから代替のラジオコンテンツＣＢの検索を開始する。
【００７３】
なお、コンテンツ検索器１０４ｃによる、視聴中テレビコンテンツ情報ＩｃＡｃと受信可能コンテンツ情報ＩｃＢｏとのマッチングおよび、同一或いは類似の受信可能ラジオコンテンツＣＢｏの検索は、上述のデジタル信号受信装置Ｒｄ２におけるのと同様に実施される。マッチング後に、コンテンツ検索器１０４ｃは第２メディアコンテンツ選択指示ＩｓＢを第２メディア受信器１０１ｂおよび第２メディアコンテンツ選択器１０２ｂに出力し、切換信号Ｓｗをスイッチ１０６に出力する。結果、視聴中テレビコンテンツＣＡｃの代替であるラジオコンテンツＣＢが出力器１０７から出力される。このようにして、デジタル信号受信装置Ｒｄ３の残電力量が僅少になった場合には、電力消費量が小さなコンテンツメディアから同一或いは類似コンテンツが継続受信することによって、ユーザがより長時間に渡ってコンテンツの情報を取得できる。
【００７４】
単位時間当たりのデータ処理量および使用するデバイスの特性により、通常映像を表示するために必要な電力量は、音声を出力するために必要な電力量と比較してはるかに大きい。従って残電力量が僅少になったとき、映像および音声のテレビ放送から音声のみのラジオ放送に切り換えれば、ユーザは所望するコンテンツからより長時間情報を取得し続けることができる。これは長時間継続するスポーツ中継を視聴するときに特に有効である。
【００７５】
なお、残電力量が僅少になったとき、テレビ放送の映像の出力を中止し、音声のみを出力する方法も考えられる。この場合、電力消費量の観点からは本発明と同じ効果が得られる。しかしながら、テレビ放送の音声は映像の補完情報との位置づけであることが多く、ラジオ放送の音声よりも情報量が極めて少ないため、ユーザが得られる情報がより少なくなり、本発明における同一或いは類似コンテンツの条件を満たさない恐れがある。
【００７６】
（第４の実施の形態）
図７を参照して、第４の実施の形態にかかるデジタル信号受信装置について説明する。上述の第１の実施の形態にかかるデジタル信号受信装置Ｒｄ１およびデジタル信号受信装置Ｒｄ２は、視聴中のコンテンツを提供しているデジタル放送波の受信強度の低下時に、代替コンテンツを受信する。そして、第３の実施の形態にかかるデジタル信号受信装置Ｒｄ３は自身の駆動電源の残電力量が僅少になった時に、電力消費の小さなコンテンツメディアからの代替コンテンツを受信する。一方、本実施の形態にかかるデジタル信号受信装置Ｒｄ４は、デジタル信号受信装置Ｒｄ４がユーザと共に移動する状態で、その移動速度が所定値以上に場合にユーザが同じコンテンツを継続視聴するには危険である場合に、そのようなユーザの状態においても安全な状態で利用できる代替コンテンツの受信に切り換える機能を有する。
【００７７】
つまり、デジタル信号受信装置Ｒｄ４では、デジタル信号受信装置Ｒｄ４自身の移動速度を検出して、移動速度が所定値以上になった場合には、ユーザの安全性を確保するために、利用負担のより小さなコンテンツメディアからの代替コンテンツの受信に切り換えるものである。本例においても、第１のコンテンツメディアはデジタルテレビ放送波ＳｄＡであり、第２のコンテンツメディアはデジタルラジオ放送波ＳｄＢを例に説明する。なお、デジタルラジオ放送波ＳｄＢの聴取のほうが、デジタルテレビ放送波ＳｄＡの視聴に比べて、ユーザの注意を引く度合いが小さいことは明らかである。特に、デジタルテレビ放送波ＳｄＡの視聴の場合には、ユーザは聴覚と視覚の両方を集中しなくてはならず、ユーザが乗り物を運転していて高速で移動している場合には非常に危険である。一方、デジタルラジオ放送波ＳｄＢの視聴の場合は、ユーザの視覚は運転に集中できるので安全である。つまり、本実施の形態においては、移動しているユーザが安全にコンテンツを利用できるように、ユーザの移動速度に応じて、コンテンツの継続性を確保しながらコンテンツメディアを切り換える機能を有するものである。
【００７８】
図７に示すように、デジタル信号受信装置Ｒｄ４は、図６に示したデジタル信号受信装置Ｒｄ３において、コンテンツメディア選択ユニットＵＳｐがコンテンツメディア選択ユニットＵＳｓに交換されている。コンテンツメディア選択ユニットＵＳｓは、コンテンツメディア選択ユニットＵＳｐにおいて、電力残量検出器５０１が対地移動速度検出器６０１に交換されている。なお、本実施の形態においては、デジタル信号受信装置Ｒｄ４は自動車に搭載されており、ユーザは自動車の運転しながらコンテンツを楽しむ場合を想定している。
【００７９】
対地移動速度検出器６０１は、デジタル信号受信装置Ｒｄ４の対地移動速度を検出して、対地移動速度が所定の速度以上になれば、第１メディア受信停止指示Ｉｎ、第１メディア非選択指示ＩｎＡ、第２メディア受信指示ＩｒＢ、および第２メディアマッチング指示Ｉｍｂを生成して、それぞれを第１メディア受信器１０１ａ、第２メディア受信器１０１ｂ、スイッチ１０６、およびコンテンツ検索器１０４ｃに出力する。以降の動作は、上述のデジタル信号受信装置Ｒｄ３における動作と同じであるので説明を省く。また、対地移動速度を取得には、例えば車輪の回転速度から検出する方法、もしくはＧＰＳ（Ｇｌｏｂａｌ  Ｐｏｓｉｔｉｏｎｉｎｇ  Ｓｙｓｔｅｍ）を利用する方法がある。
【００８０】
所定の速度以上で公道を移動する車両を運転するユーザが映像に注視することは、周囲の交通状況の把握が困難であり、適切な操車が不可能となるために交通事故を引き起こす可能性が極めて高くなる。従って上記の場合に、映像および音声からなるテレビ放送から、音声のみからなるラジオ放送に切り換えれば、ユーザ運転者は安全運転を行いながら、所望するコンテンツを取得し続けることができる。また本実施例の場合、移動速度が所定の値未満となった場合、再度第２コンテンツメディア（デジタルラジオ放送波ＳｄＢ）から第１コンテンツメディア（デジタルテレビ放送波ＳｄＡ）へと、出力を切り換えることも可能である。
なお、本実施例におけるデジタル受信装置において、第１コンテンツメディアの受信を中止するトリガとして対地移動速度が所定値以上であるとした。これは、自動車を運転して高速で移動している時は第１コンテンツメディアの受信を中止するが、人間が携帯して歩行などの低速移動している時は第１コンテンツメディアの受信を中止しないというように、ユーザの状態に応じて対地移動速度の所定値を適切に設定することで、本装置を車載用および携帯用に兼用できる。
【００８１】
（第５の実施の形態）
図８を参照して、第５の実施の形態にかかるデジタル信号受信装置Ｒｄ５について説明する。上述の第１の実施の形態にかかるデジタル信号受信装置Ｒｄ１およびデジタル信号受信装置Ｒｄ２は、視聴中のコンテンツを提供しているデジタル放送波の受信強度の低下時に、代替コンテンツを受信する。そして、第３の実施の形態にかかるデジタル信号受信装置Ｒｄ３は自身の駆動電源の残電力量が僅少になった時に、電力消費の小さなコンテンツメディアからの代替コンテンツを受信する。第４の実施の形態にかかるデジタル信号受信装置Ｒｄ４は、デジタル信号受信装置Ｒｄ４がユーザと共に移動する状態で、その移動速度が所定値以上に場合にユーザが同じコンテンツを継続視聴するには危険である場合に、そのようなユーザの状態においても安全な状態で利用できる代替コンテンツの受信に切り換える。
【００８２】
一方、本実施の形態にかかるデジタル信号受信装置Ｒｄ５は、第１の実施の形態にかかるデジタル信号受信装置Ｒｄ１におけるのと同様に、受信強度が低下した時に、別のチャンネルで送信される同一コンテンツメディアの別のデジタル放送波Ｓｄで同一或いは類似する代替のコンテンツを検索する。しかしながら、別のチャンネルで創始される他のデジタル放送波Ｓｄに関しても、代替コンテンツが検索されない場合には、予め受信して蓄積しておいたコンテンツメディアから代替コンテンツを検索する機能を有する。
【００８３】
そのために、デジタル信号受信装置Ｒｄ５は、事前に送信されているデジタル放送波Ｓｄを、記録媒体に記録しておく。この蓄積しておくコンテンツメディアは、上述の各実施の形態において例示されているデジタルテレビ放送波ＳｄＡ、デジタルラジオ放送波ＳｄＢ、或いはインターネットを介したコンテンツ配信であってもよい。
【００８４】
図８に示すように、デジタル信号受信装置Ｒｄ５は、図５に示したデジタル信号受信装置Ｒｄ２において、第２のコンテンツメディア受信ユニットＵＲ２が第２のコンテンツメディア受信ユニットＵＲ２ｓに交換されている。第２のコンテンツメディア受信ユニットＵＲ２ｓは、第２のコンテンツメディア受信ユニットＵＲ２において、第２メディア受信器１０１ｂが、予めデジタルストリームＳｄｄＢを蓄積しておく第２メディア蓄積器７０１に交換されている。映像や音声などをデジタルラジオストリームＳｄｄＢとして蓄積する場合、ＡＳＦ（Ａｄｖａｎｃｅｄ  Ｓｙｓｔｅｍｓ  Ｆｏｒｍａｔ）などの形式で多重化し、ファイルとして保持することが多い。ＡＳＦではＣｏｎｔｅｎｔ  Ｄｅｓｃｒｉｐｔｉｏｎ  Ｏｂｊｅｃｔ（コンテンツ記述オブジェクト）と呼ばれる情報が存在し、タイトル、コンテンツの内容などが記述できるようになっている。例えばこのＣｏｎｔｅｎｔ  Ｄｅｓｃｒｉｐｔｉｏｎ  Ｏｂｊｅｃｔを第２メディアのコンテンツ情報ＩｃＢと見なすことができる。
【００８５】
つまり、受信強度検出器１０８ｃの受信強度ＬＳｄＡが不十分である場合には、デジタル信号受信装置Ｒｄ２におけるのと同様に、別のチャンネルのデジタルテレビ放送波ＳｄＡから代替のコンテンツテレビコンテンツＣＡを検索させる。そして、代替のテレビコンテンツＣＡが検索されなかった場合には、受信強度検出器１０８ｃは、受信指示Ｉｒ、第１メディア非選択指示ＩｎＡ、第２メディアマッチング指示Ｉｍｂおよび第２メディア受信指示ＩｒＢを生成して、それぞれを第１メディア受信器１０１ａ、スイッチ１０６、コンテンツ検索器１０４ｃ、および第２メディア蓄積器７０１に出力する。なお、受信指示Ｉｒ、第１メディア非選択指示ＩｎＡ、および第２メディアマッチング指示Ｉｍｂに基づく、第１メディア受信器１０１ａ、スイッチ１０６、およびコンテンツ検索器１０４ｃの動作は、デジタル信号受信装置Ｒｄ２におけるのと同様である。
【００８６】
第２メディア蓄積器７０１は、第２メディア受信指示ＩｒＢに応答して、格納されているデジタルラジオストリームＳｄｄＢを順次第２メディアコンテンツ選択器１０２ｂに出力する。第２メディアコンテンツ選択器１０２ｂは、第２メディア蓄積器７０１から出力さあれるデジタルラジオストリームＳｄｄＢのラジオコンテンツデータＤｃＢを第２メディアコンテンツ情報解析器１０３ｂに出力する。第２メディアコンテンツ情報解析器１０３ｂはラジオコンテンツデータＤｃＢからラジオコンテンツ情報ＩｃＢを検出してコンテンツ検索器１０４ｃに出力。以降コンテンツ検索器１０４ｃにおいて、デジタル信号受信装置Ｒｄ２におけるのと同様に、視聴中テレビコンテンツＣＡｃと同一或いは類似するラジオコンテンツＣＢを検索する。
【００８７】
そして、検索結果は第２メディアコンテンツ選択指示ＩｓＢとして第２メディア蓄積器７０１および第２メディアコンテンツ選択器１０２ｂに連絡される。第２メディアコンテンツ選択指示ＩｓＢに基づいて、第２メディア蓄積器７０１は該当するデジタルラジオストリームＳｄｄＢを出力する。このように、本実施の形態においては、デジタル信号受信装置Ｒｄの受信環境が極度に悪く、一切のデジタル放送波Ｓｄを受信できないような場合にも、予め蓄積しておいたデジタル放送波Ｓｄを検索することによって、代替可能なコンテンツＣを取得できる可能性が高まる。
【産業上の利用可能性】
【００８８】
本発明にかかるデジタル信号受信装置は、同一或いは類似のコンテンツが同時に並行して放送されるデジタル放送において、ユーザの受信状態に変化に応じて、適宜受信するコンテンツを変更するデジタルテレビ受信装置、デジタルラジオ受信装置、およびインターネットを解するデジタルビットストリーム受信装置などに利用できる。
【図面の簡単な説明】
【００８９】
【図１】本発明の第１の実施の形態にかかるデジタル信号受信装置の構成を示すブロック図
【図２】デジタル放送波における番組配列情報およびイベントテーブルの構成を示す模式図
【図３】図１に示すコンテンツ検索器における同一マッチングの説明図
【図４】図１に示すコンテンツ検索器における類似マッチングの説明図
【図５】本発明の第２の実施の形態にかかるデジタル信号受信装置の構成を示すブロック図
【図６】本発明の第３の実施の形態にかかるデジタル信号受信装置の構成を示すブロック図
【図７】本発明の第４の実施の形態にかかるデジタル信号受信装置の構成を示すブロック図
【図８】本発明の第５の実施の形態にかかるデジタル信号受信装置の構成を示すブロック図
【符号の説明】
【００９０】
Ｒｄ１、Ｒｄ２、Ｒｄ３、Ｒｄ４、Ｒｄ５  デジタル信号受信装置
１０１  メディア受信器
１０１ａ  第１メディア受信器
１０１ｂ  第２メディア受信器
１０２  メディアコンテンツ選択器
１０２ａ  第１メディアコンテンツ選択器
１０２ｂ  第２メディアコンテンツ選択器
１０３  メディアコンテンツ情報解析器
１０３ａ  第１メディアコンテンツ情報解析器
１０３ｂ  第２メディアコンテンツ情報解析器
１０４、１０４ｃ  コンテンツ検索器
１０５、１０５ｃ  コンテンツデータベース
１０６  スイッチ
１０７  出力器
１０８、１０８ｃ  受信強度検出器
５０１  電力残量検出器
６０１  対地移動速度検出器
７０１  第２メディア蓄積器
ＵＲ１  第１コンテンツメディア受信ユニット
ＵＲ２、ＵＲ２ｓ  第２のコンテンツメディア受信ユニット
ＵＳ、ＵＳｐ、ＵＳｓ  コンテンツメディア選択ユニット
【図１】
2006013708.tif 000003
【図２】
2006013708.tif 000004
【図３】
2006013708.tif 000005
【図４】
2006013708.tif 000006
【図５】
2006013708.tif 000007
【図６】
2006013708.tif 000008
【図７】
2006013708.tif 000009
【図８】
2006013708.tif 000010